(57)【特許請求の範囲】
【請求項１】
内樋本体の下端側には樋内側に向けて突き出る突出部を形成すると共に、樋の内側上端部には、屋根片から延設された上掛止片に、屋根片から一定間隔を保って下側に並設させる下掛止片を連設して成るカバー掛止部材を配設した内樋を形成し、
該内樋に、
（ａ）開放された受樋本体の上部を覆う有孔樋カバーと、
（ｂ）突出部の上側に載って屋根材を上から押さえる屋根押止片と、内樋側に入って樋カバーを上側から挟み込むカバー挟片とから成る押さえ部材上片と、該突出部の上側に載った屋根押止片と、内樋側に載って樋カバーを下側から挟み込むカバー挟片と、その中間で上記押さえ部材上片より樋カバーの厚みに対応させて長い段部を設けた押さえ部材下片とから成る上側押さえ部材と、
（ｃ）屋根材の突出部の下側に沿って、これを下側から押さえる屋根押さえ片と、上記屋根押さえ片の下側に沿ってこれを支える押片と、ナットの回転を抑止するナット抑え片と、中間段部とから成る下側押さえ部材と、
（ｄ）上記上側押さえ部材及び下側押さえ部材の内樋側には、位置調整の為の長孔を穿設すると共に締結用の長孔に挿通したボルト及びナットにより樋カバーを結合させたことを特徴とする内樋の構造。
【請求項２】
内樋本体の上下側に樋内側に向けて突き出る突出部を配設した内樋を形成し、
該内樋に、
（ａ）開放された受樋本体の上部を覆う有孔樋カバーと、
（ｂ）カバー挟片から延設させて突出部を挟む上挟片と、下カバー挟片の下側から延設させて一定間隔を保って突出部を挟む下挟片とを配してボルト及びナットで結合させた挟圧部材と、
（ｃ）突出部の上側に載って屋根材を上から押さえる屋根押止片と，内樋側に入って樋カバーを上側から挟み込むカバー挟片とから成る押さえ部材上片と、該突出部の上側に載った屋根押止片と、内樋側に載って樋カバーを下側から挟み込むカバー挟片と、その中間で上記押さえ部材上片より樋カバーの厚みに対応させて長い段部を設けた押さえ部材とから成る上側押さえ部材と、
（ｄ）屋根材の突出部の下側に沿って、これを下側から押さえる屋根押さえ片と、上記屋根押さえ片の下側に沿ってこれを支える押片と、ナットの回転を抑止するナット抑え片と、中間段部とから成る下側押さえ部材と、
（ｅ）上記上側押さえ部材及び下側押さえ部材の内樋側には、位置調整の為の長孔を穿設すると共に締結用の長孔に挿通したボルト及びナットにより樋カバーを結合させたことを特徴とする内樋の構造。
【請求項３】
（ａ）開放された受樋本体の上部を覆う有孔樋カバーと、
（ｂ）突出部の上側に載って屋根材を上から押さえる屋根押止片と、内樋側に入って樋カバーを上側から挟み込むカバー挟片とから成る押さえ部材上片と、該突出部の上側に載った屋根押止片と、内樋側に載って樋カバーを下側から挟み込むカバー挟片と、その中間で上記押さえ部材上片より樋カバーの厚みに対応させて長い段部を設けた押さえ部材下片とから成る上側押さえ部材と、
（ｃ）屋根材の突出部の下側に沿って、これを下側から押さえる屋根押さえ片と、上記屋根押さえ片の下側に沿ってこれを支える押片と、ナットの回転を抑止するナット抑え片と、中間段部とから成る下側押さえ部材と、
（ｄ）上記上側押さえ部材及び下側押さえ部材の内樋側には、位置調整の為の長孔を穿設すると共に締結用の長孔に挿通したボルト及びナットにより樋カバーを結合させたことを特徴とする内樋の構造。
【請求項４】
上側押さえ部材の押さえ部材上片、又は、押さえ部材下片のいずれか一方を座金とした請求項１〜３のうちいずれか１項記載の内樋の構造。
【請求項５】
（ａ）開放された受樋本体の上部を覆う有孔樋カバーと、
（ｂ）突出部の上側に載って屋根材を上から押さえる屋根押止片と、内樋側に入って樋カバーを上側から挟み込むカバー挟片とから成る押さえ部材上片と、該突出部の上側に載った屋根押止片と、内樋側に載って樋カバーを下側から挟み込むカバー挟片と、その中間で上記押さえ部材上片より樋カバーの厚みに対応させて長い段部を設けた押さえ部材下片とから成り、該押さえ部材上片又は押さえ部材下片のいずれか一方を座金とした上側押さえ部材と、
（ｃ）屋根材の突出部の下側に沿って、これを下側から押さえる屋根押さえ片と、上記屋根押さえ片の下側に沿ってこれを支える押片と、ナットの回転を抑止するナット抑え片と、中間段部とから成る下側押さえ部材と、
（ｄ）上記上側押さえ部材及び下側押さえ部材の内樋側には、位置調整の為の長孔を穿設すると共に締結用の長孔に挿通したボルト及びナットにより樋カバーを結合させたことを特徴とする内樋カバーの留付構造。
【発明の詳細な説明】
【０００１】
【発明の属する技術分野】
本発明は、内樋の開放上面を覆って、上記内樋の施工後でも取り付けが容易な内樋の構造及び内樋用カバーの構造に関する。
【０００２】
【従来の技術】
内樋とは、軒先の設けられる一般の雨樋に対し、軒先から若干屋根の上部（内側）に配される樋をいい、該内樋は、軒先に樋を突出させないので、屋根先のデザインが自由となり、美しく、独自の建築が可能となる。
しかし、該内樋は一般に、上側を開放した断面コの字型で横方向に延長させてトタン材を屈曲させて成形し、これを接合部で重ね合わせ、その接合部を釘打ち等して結合させており、その成形は多く、現場施工であり、屋根の内樋を設けるべき位置に溝を形成し、そこに防水シートを覆う方法に頼っている。
【０００３】
そして、上記内樋は、上側が開放されているので、そこから落ち葉等が侵入して、詰まりを起こす原因となるので、上面を覆うカバーを付設させる必要が生じるが、該カバーは上記内樋を取り付けた後で取り付けねばならず、作業が極めて困難であった。
【０００４】
【発明が解決しようとする課題】
これら欠点を解消すべく本発明はなされたもので、（ａ）工場生産したものを現場で組み立て可能で、（ｂ）内樋の施工後にあっても、取り付けが容易な内樋の構造及び内樋用カバーの構造を開発しようとするものである。
【０００５】
【課題を解決するための手段】
請求項１に記載の内樋の構造の発明は、内樋本体の下端側には樋内側に向けて突き出る突出部を形成すると共に、樋の内側上端部には、屋根片から延設された上掛止片に、屋根片から一定間隔を保って下側に並設させる下掛止片を連設して成るカバー掛止部材を配設した内樋を形成し、該内樋に、（ａ）開放された受樋本体の上部を覆う有孔樋カバーと、（ｂ）突出部の上側に載って屋根材を上から押さえる屋根押止片と、内樋側に入って樋カバーを上側から挟み込むカバー挟片とから成る押さえ部材上片と、該突出部の上側に載った屋根押止片と、内樋側に載って樋カバーを下側から挟み込むカバー挟片と、その中間で上記押さえ部材上片より樋カバーの厚みに対応させて長い段部を設けた押さえ部材下片とから成る上側押さえ部材と、（ｃ）屋根材の突出部の下側に沿って、これを下側から押さえる屋根押さえ片と、上記屋根押さえ片の下側に沿ってこれを支える押片と、ナットの回転を抑止するナット抑え片と、中間段部とから成る下側押さえ部材と、（ｄ）上記上側押さえ部材及び下側押さえ部材の内樋側には、位置調整の為の長孔を穿設すると共に締結用の長孔に挿通したボルト及びナットにより樋カバーを結合させたことを特徴とする。
【０００６】
請求項２に記載の内樋の構造の発明は、内樋本体の上下側樋内側に向けて突き出る突出部を配設した内樋を形成し、該内樋に、
（ａ）開放された受樋本体の上部を覆う有孔カバーと、
（ｂ）カバー挟片から延設させて突出部を挟む上挟片と、下カバー挟片の下側から延設させて一定間隔を保って突出部を挟む下挟片とを配してボルト及びナットで結合させた挟圧部材と、（ｃ）突出部の上側に載って屋根材を上から押さえる屋根押止片と、内樋側に入って樋カバーを上側から挟み込むカバー挟片とから成る押さえ部材上片と、該突出部の上側に載った屋根押止片と、内樋側に載って樋カバーを下側から挟み込むカバー挟片と、その中間で上記押さえ部材上片より樋カバーの厚みに対応させて長い段部を設けた押え部材下片とから成る上側押え部材と、（ｄ）屋根材の突出部の下側に沿って、これを下側から押さえる屋根押さえ片と、上記屋根押さえ片の下側に沿ってこれを支える押片と、ナットの回転を抑止するナット抑え片と、中間段部とから成る下側押え部材と、（ｅ）上記上側押さえ部材及び下側押さえ部材の内樋側には、位置調整の為の長孔を穿設すると共に締結用の長孔に挿通したボルト及びナットにより内樋カバーを結合させたことを特徴とする。
【０００７】
請求項３に記載の内樋の構造の発明は、（ａ）内樋本体の樋内側に向けて突き出る突出部を上下両端部に配設した内樋を形成し、該内樋に、（ａ）開放された受樋本体の上部を覆う有孔カバーと、（ｂ）突出部の上側に載って屋根材を上から押さえる屋根押止片と、内樋側に入って樋カバーを上側から挟み込むカバー挟片とから成る押さえ部材上片と、該突出部の上側に載った屋根押止片と、内樋側に載って樋カバーを下側から挟み込むカバー挟片と、その中間で上記押さえ部材上片より樋カバーの厚みに対応させて長い段部を設けた押さえ部材下片とから成る上側押さえ部材と、（ｃ）屋根材の突出部下側に沿って、これを下側から押さえる屋根押え片と、上記屋根押さえ片の下側に沿ってこれを支える押片と、ナットの回転を抑止するナット抑え片と、中間段部とから成る下側押さえ部材と、（ｄ）上記上側押さえ部材及び下側押さえ部材の内樋側には、位置調整の為の長孔を穿設すると共に締結用の長孔に挿通したボルト及びナットから成ることを特徴とする。
【０００８】
請求項４に記載の内樋の構造の発明は、上記請求項１〜３の発明にあって、上側押さえ部材の押さえ部材上片、又は、押さえ部材下片のいずれか一方を座金としたことを特徴とする。
【０００９】
請求項５に記載の樋カバーの構造の発明は、（ａ）内樋本体の樋内側に向けて突き出る突出部を上下両端部に配設した内樋を形成し、該内樋に（ａ）開放された受樋本体の上部を覆う有孔樋カバーと、（ｂ）突出部の上側に載って屋根材を上から押さえる屋根押止片と、内樋側に入って樋カバーを上側から挟み込むカバー挟片とから成る押さえ部材上片と、該突出部の上側に載った屋根押止片と、内樋側に載って樋カバーを下側から挟み込むカバー挟片と、その中間で上記押さえ部材上片より樋カバーの厚みに対応させて長い段部を設けた押さえ部材下片とから成る上側押え部材と、（ｃ）屋根材の突出部の下側に沿って、これを下側から押さえる屋根押さえ片と、上記屋根押さえ片の下側に沿ってこれを支える押片と、ナットの回転を抑止するナット抑え片と、中間段部とから成る下側押さえ部材と、（ｄ）上記上側押さえ部材及び下側押さえ部材の内樋側には、位置調整の為の長孔を穿設すると共に締結用の長孔に挿通したボルト及びナットから成ることを特徴とする。
【００１０】
【発明の実施の形態】
次に、本発明の実施の形態を説明する。
内樋とは、図１に示す如くで、軒先から若干屋根側に入った位置に雨等を収集して排出するトタン等で形成する受樋本体１０を配設する。
そのとき、樋の下端側には樋内側に向けて突き出る突出部２０を、例えば図１に示す如く葺き板２１に唐草と呼ばれる役物２２をつかみ込んで形成して置く。
又、樋の内側上端部には、屋根片から延設された上掛止片３１と、同様に屋根片から一定間隔を保って下側に並設させる下掛止片３２とから成るカバー掛止部材３０を形成して置く。
上記内樋は、上側が開放されているので、そこから落ち葉等が侵入し、詰まりを起こす原因となるので、雨水を通しつつこれらを防止する有孔の樋カバー４０を配設する。
【００１１】
更に、該樋カバー４０には、該樋カバーを屋根部材に固定させる上側押さえ部材５０と下側押さえ部材６０を配設する。
即ち、上側押さえ部材５０は、突出部の上側に載って屋根部材を上から押さえる屋根押止片５１ａと、内樋側に入って樋カバーを上側から挟み込むカバー挟片５１ｂと、その中間の段部５１ｃとから成る押さえ部材上片５１と、同様に突出部の上側に載った屋根押止片５２ａと、内樋側に載って樋カバー４０を下側から挟み込む下カバー挟片５２ｂと、その中間で上記押さえ部材上片より長い段部５２ｃを形成した押さえ部材下片５２とから成る（図２参照）。
このとき、該押さえ部材上片５１の段部５１ｃは必要に応じて設けるものであるが、押さえ部材下片５２の段部５２ｃは樋カバー４０を挟む為に不可欠なものである。
【００１２】
下側押さえ部材６０は、屋根部材の突出部２０の下側に沿って、これを下側から押さえる屋根押止片６０ａと、上記屋根押止片６０ａの下側に沿ってこれを支える押片６０ｂと、ナットの回転を抑止するナット抑え片６０ｄと、中間段部６０ｅとから成る。
この上部押さえ部材５０及び下側押さえ部材６０の内樋側には、ボルト用通孔を穿設し、該下側押さえ部材６０の通孔６０ｃは位置調整の為の長孔とする。
【００１３】
そして、上述の如く、上側押さえ部材５０及び下側押さえ部材６０の通孔には、ボルト７０を挿通させてナット７１の締付けによって両者の結合を図るが、このとき重要なのは、下側押さえ部材６０とナット７１との関係である。
先ず、ナット７１には、その長径（ＲA）と短径（ＲB）とが異なる形状の異径ナットを用い、少なくとも円形ナットの使用は排する（図７参照）。
そして、そのナット７１の中心位置からナット抑え片６０ｄ迄の距離をＬmとしたとき、
ＲB＜Ｌm＜ＲA
の条件を満たすナット抑え片を形成しなければならない（図６参照）。
【００１４】
次に、上記押さえ部材５０は、樋カバー４０の一端には必ず必要であるが、他端側の態様は幾つかの態様が可能である。
その例を説明すると、一例が上述のカバー掛止部材３０を設けた第一のタイプである（図１，２参照）。
これは、樋カバー４０及び上側押さえ部材５０及び下側押さえ部材６０を用いた取り付け作業が極めて簡潔にできる利点がある。
【００１５】
次のタイプは、先ず、屋根側から葺き板２１’に唐草と呼ばれる役物２２’をつかみ込んで形成した突出部２０’を形成する。そして、樋カバー４０に、上カバー挟片８１ｂから延設させて突出部２０’を挟む上挟片８１ａと、下カバー挟片８２ｂから延設させて一定間隔を保って突出部２０’を挟む下挟片８２ａとを配してボルト７０及びナット７１で結合させる挟圧部材８０を配設した第二のタイプとすることができる（図３参照）。
これは、上側も下側と同様の突出部とすることができ、屋根側の作業が容易となる利点がある。
【００１６】
上記と同様に、屋根側から葺き板２１’に唐草と呼ばれる役物２２’をつかみ込んで形成した突出部２０’を形成する。
これに、上側押さえ部材５０’と下側押さえ部材６０’を配設する第三のタイプとすることができる。
即ち、上側押さえ部材５０’は、屋根押止片５１ａ’と、カバー挟片５１ｂ’と、その中間の段部５１ｃ’とから成る押さえ部材上片５１’と、上側に載った屋根押止片５２ａ’と、下カバー挟片５２ｂ’と、その中間で上記押さえ部材上片より長い段部５２ｃ’とから成る押さえ部材下片５２’とから成る。 下側押さえ部材６０’は、屋根材の突出部２０’の下側に沿って、これを下側から押さえる屋根押止片６０ａ’と、上記屋根押止片６０ａ’の下側に沿ってこれを支える押片６０ｂ’と、ナットの回転を抑止するナット抑え片６０ｄ’と、中間段部６０ｅ’とから成る。そして、上側押さえ部材５０’及び下側押さえ部材６０’の通孔には、ボルト７０’及びナット７１’を挿通させて両者の結合を図る（図４参照）。
これは、上下が各押さえ部材によって強固に固定されるので、構造的に強いものとなる。
【００１７】
又、上側押さえ部材の押さえ部材上片５１、又は、押さえ部材下片５２のいずれか一方は、これに替わって、図５に示す如く、大きめの座金９０によって有孔樋カバー４０を挟むことができる。
即ち、樋カバー４０を支えるには長尺の押さえ部材上片５１又は押さえ部材下片５２が望ましいが、座金９０によっても挟み込みは可能である。
【００１８】
次に、本実施態様の作用を説明する。本発明に用いる内樋用カバーは、工場で一定規格の基に量産が可能であり、予め工場で生産したものを建築現場に搬送する。
そして、先ず、内樋を形成し、更に内樋下端の役物をつかみ込んだ突出部２０を形成し、カバー掛止部材３０を形成する。
【００１９】
次いで、下側押さえ部材６０の長孔６０ｃに沿って左右の位置を調整しつつ全体を内樋１０側へズラして、該下側押さえ部材６０を突出部２０の下側に潜らす（図８参照）。
樋カバー４０の上側先端を、屋根片から延設されたカバー掛止片３０の上掛止片３１及び下掛止片３２の間に差し込み、一端上部を掛け止め状態にする。
この結果、樋カバー４０の上側はカバー掛止片３０によって支持されることになる。
このとき、下側押さえ部材６０は自重によって長孔６０ｃに沿って横にスライドし、上側押さえ部材５０の下に入る（図９参照）。
【００２０】
そこで、ボルト７１の頭部を回転ドリル等の回転治具で締め付け方向に回転させる。
このとき、ナット抑え片６０ｄとナット７１とは、
ＲB＜Ｌm＜ＲA
の関係にあるので、ボルト７１の回転に従ってナット７１が従動しても、その長径側がナット抑え片６０ｄに掛かり、回転が停止される。
【００２１】
ナット７１が固定された結果、該ナット７１を固定点としてボルト７１に刻設されたネジ部螺旋に従ってナット７１が上昇運動し、その上昇に押されて、下側押さえ部材６０全体が上昇する。
すると、中間段部６０ｅの先に形成された屋根押止片６０ａが突出部２０の葺き板２１の下側から押さえ、上記上側押さえ部材５０の屋根押止片５１ａ，５２ａとで突出部２０を挟み込んでしっかりとこれを固定する（図１０参照）。
【００２２】
上記は第一のタイプを説明したが、前述説明した如く、カバー挟片樋８１ａから延設させて突出部２０’を挟む上挟片８１ｂと、下カバー挟片８２ａの下側から延設させて一定間隔を保って突出部２０’を挟む下挟片８２ｂとを配してボルト７０及びナット７１で結合させる第二のタイプにおいては、突出部２０’に上挟片８１ｂ及び下カバー挟片８２ａを差し込み、下側においては上記と同様にして固定する。
【００２３】
更に、屋根側から葺き板２１’に唐草と呼ばれる役物２２’をつかみ込んで形成した突出部２０’を形成し、上側押さえ部材５０’と下側押さえ部材６０’を配設した第三のタイプにおいては、ボルトを回転させて締め付ける作業が上下に渡ることになるが、上記通常タイプと同様にして固定する。
【００２４】
上記作用に基づいて、部材の装着と回転ドリルによる締め付け作業だけで、いとも簡単に樋カバーが内樋にしっかりと装着、固定される。
従って、地震等の振動があっても外れる恐れはなく、且つ、屋根作業等で人が載っても負荷に耐えられる構造となる。
【００２５】
【発明の効果】
以上の如き構成及び作用に基づいて本発明は、以下の如き優れた効果を奏する。
（ａ）樋カバーの施工後であっても、樋カバーの孔を通して押圧可能な下押さえ片を長孔にそって下側へ押しやり、ボルト締め付け方向へ回転させると、ボルトの螺旋溝に従って螺旋階段を登り、上側押さえ部材と下側押さえ部材とに挟圧されて、有孔カバーが内樋に簡潔に且つ確実に取り付けられる。
（ｂ）その結果、地震や屋根作業時の振動や負荷にも耐えることができ、強固な内樋となる。
（ｃ）更に、落ち葉の侵入等が防げるので、雨洩れの心配がなく、内樋による自由で独自のデザイン建築が可能となる。
【図面の簡単な説明】
【図１】本発明内樋全体の側面図。
【図２】本発明内樋カバー全体の斜視図。
【図３】本発明第二のタイプの要部切欠側面図。
【図４】  本発明第三のタイプの要部切欠側面図。
【図５】上押さえ部材に座金を用いた態様の要部側面図。
【図６】抑え部材とナットとの関係を示す要部切欠側面図。
【図７】ナットの長径と短径の各態様を示す平面図。
【図８】下側押さえ部材を下方に移動させた状態を示す縦断側面図。
【図９】下側押さえ部材を横に移動させた状態を示す縦断側面図。
【図１０】下側押さえ部材を上方に締め付けた状態を示す縦断側面図。
【符号の説明】
１０  受樋本体
２０  突出部
２１  葺き板
２２  役物
３０  カバー掛止部材
３１  上掛止片
３２  下掛止片
４０  樋カバー
４１  孔
５０  上側押さえ部材
５１  押さえ部材上片
５１ａ  屋根押止片
５１ｂ  カバー挟片
５１ｃ  段部
５１ｄ  ボルト用通孔
５２  押さえ部材下片
５２ａ  屋根押止片
５２ｂ  カバー挟片
５２ｃ  段部
５２ｄ  ボルト用通孔
６０  下側押さえ部材
６０ａ  屋根押さえ片
６０ｂ  押片
６０ｃ  通孔
６０ｄ  ナット抑え片
６０ｅ  中間段部
７０  ボルト
７１  ナット
８０  挟圧部材
８１ａ  上挟片
８１ｂ  上カバー挟片
８２ａ  下挟片
８２ｂ  下カバー挟片
９０  座金
【図１】
0004085226.tif 000002
【図２】
0004085226.tif 000003
【図３】
0004085226.tif 000004
【図４】
0004085226.tif 000005
【図５】
0004085226.tif 000006
【図６】
0004085226.tif 000007
【図７】
0004085226.tif 000008
【図８】
0004085226.tif 000009
【図９】
0004085226.tif 000010
【図１０】
0004085226.tif 000011